【事件の表示】
　商願２００８−１０２０２２拒絶査定不服審判事件について、次のとおり審決する。
【結　論】
　原査定を取り消す。
　本願商標は、登録すべきものとする。
【理　由】
１　本願商標
　本願商標は、「Ｗｏｒｌｄ　Ｅｘｔｒｅｍｅ　Ｃａｇｅｆｉｇｈｔｉｎｇ」の欧文字を標準文字で表してなり、 第９類、第２５類、第３８類及び第４１類に属する願書記載の商品及び役務を指定商品及び指定役務として、平成２０年１２月１８日に登録出願されたものである。
　そして、願書記載の指定商品及び指定役務については、原審における同２１年７月２１日付け手続補正書により、第９類「録画済みデジタルビデオディスク，未録画のデジタルビデオディスク，録音又は録画済みデジタル多用途ディスク，未録画のデジタル多用途ディスク，スポーツイベント及び総合格闘技を記録したＣＤ−ＲＯＭ及び映写フィルム，家庭用テレビゲーム用プログラムを記憶させたＲＯＭカートリッジ及びディスク，ダウンロード可能な着信用音楽，映像・画像・音声・文字情報を記憶させた記録媒体，インターネット・有線及び無線ネットワークを通じてダウンロード可能な画像・映像・映画・音声及び音楽，家庭用テレビゲームおもちゃ，携帯用液晶画面ゲームおもちゃ用のプログラムを記憶させた電子回路及びＣＤ−ＲＯＭ，インターネットを利用して受信し、及び保存することができる音楽ファイル，インターネットを利用して受信し、及び保存することができる画像ファイル，電子出版物」、第２５類「ワイシャツ類，ウォームアップスーツ，スウェットシャツ，スウェットパンツ，ティーシャツ，タンクトップ，幼児用寝巻，半ズボン，下着，帽子，バイザー，その他の被服」、第３８類「インターネット・有線及び無線ネットワークを通じたメッセージ・文字・画像・映像及び音声による通信，電気通信（放送を除く），セルラー式電話による通信，電子メールによる通信，インターネット利用のチャットルーム形式による電子掲示板通信，電子掲示板による通信，電子計算機端末による通信，総合デジタル通信，光ファイバーネットワークによる通信，衛星通信，ボイスメール通信，メッセージの送信のための通信，テレビゲーム機（家庭用及び業務用を含む）・液晶ゲーム機による通信」、第４１類「娯楽の提供，総合格闘技に関するライブステージショー及び演芸の上演，演劇の上演，演劇の演出又は上演，音楽の演奏，知識又は技芸の教授，スポーツ及び娯楽に関する情報の提供，グローバルコンピュータネットワークのウェブサイトによるスポーツ及び娯楽に関する情報の提供，テレビ・ケーブル・衛星・音声及び映像媒体を記憶させたカートリッジ・光ディスク・コンピュータディスク及び電子手段を利用して配給される娯楽番組・スポーツイベント及び双方向娯楽番組の制作，グローバル通信ネットワークを利用した娯楽番組及びニュース番組の制作及び配給，ヘルスクラブ・フィットネスクラブ又はスポーツクラブの提供，運動施設の提供」に補正されたものである。
　
２　引用商標
　原査定において、本願商標が商標法第４条第１項第１１号に該当するとして本願の拒絶の理由に引用した登録商標は、以下のとおりである。
（１）登録第１５１２２０号商標（以下「引用商標１」という。）は、別掲１のとおりの構成からなり、大正１１年８月８日登録出願、第３６類「被服、手巾、釦及装身用ピン類、其他本類ニ属スル商品一切」を指定商品として、同１２年４月７日に設定登録され、その後、昭和１７年７月１４日、同３８年２月２８日、同４８年１１月２９日、同５８年３月２５日、平成５年８月３０日及び同１５年３月１８日に商標権の存続期間の更新登録がなされ、さらに、平成１６年７月２１日に指定商品を第２４類「布製身の回り品」及び第２５類「被服（頭から冠る防虫網・あみ笠・すげ笠・ナイトキャップ，帽子を除く。），運動用特殊衣服，マラソン足袋，地下足袋」とする指定商品の書換登録がなされ、現に有効に存続しているものである。
（２）登録第７２４９７９号商標（以下「引用商標２」という。）は、「ＷＯＲＬＤ」の欧文字を横書きしてなり、昭和３９年１２月２８日登録出願、第１７類「被服、布製身回品」を指定商品として、同４１年１１月１６日に設定登録され、その後、昭和５２年３月７日、同６２年１月２２日、平成９年３月１１日及び同１８年１０月３１日に商標権の存続期間の更新登録がなされ、さらに、平成１８年１１月２２日に指定商品を第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２１類「家事用手袋」、第２４類「布製身の回り品」及び第２５類「被服」とする指定商品の書換登録がなされ、現に有効に存続しているものである。
（３）登録第７３６７９４号商標（以下「引用商標３」という。）は、「ＷＯＲＬＤ」の欧文字を横書きしてなり、昭和３９年１２月２８日登録出願、第２４類「おもちや、人形、娯楽用具、運動具、釣り具、楽器、演奏補助品、蓄音機（電気蓄音機を除く）、レコ−ド、これらの部品及び附属品」を指定商品として、同４２年３月２４日に設定登録され、その後、同５２年１１月８日、同６２年４月１７日、平成９年６月６日及び同１９年３月６日に商標権の存続期間の更新登録がなされ、さらに、平成１９年７月１８日に指定商品を第６類「アイゼン，カラビナ，ハーケン，金属製飛び込み台，拍車」、第８類「水中ナイフ，水中ナイフ保持具，ピッケル」、第９類「ウエイトベルト，浮袋，運動用保護ヘルメット，エアタンク，水泳用浮き板，レギュレーター，家庭用テレビゲームおもちゃ，携帯用液晶画面ゲームおもちゃ用のプログラムを記憶させた電子回路及びＣＤ−ＲＯＭ，電子楽器用自動演奏プログラムを記憶させた電子回路及びＣＤ−ＲＯＭ，メトロノーム，レコード」、第１５類「楽器，演奏補助品，音さ」、第１８類「乗馬用具」、第１９類「飛び込み台（金属製のものを除く。）」、第２０類「スリーピングバッグ，揺りかご，幼児用歩行器，マネキン人形，洋服飾り型類」、第２１類「コッフェル」、第２２類「ザイル，登山用又はキャンプ用のテント」、第２４類「ビリヤードクロス」、第２５類「運動用特殊衣服，運動用特殊靴（「乗馬靴」を除く。），水上スポーツ用ウエットスーツ，乗馬靴，仮装用衣服」、第２７類「体操用マット」、第２８類「運動用具，おもちゃ，人形，囲碁用具，将棋用具，歌がるた，さいころ，すごろく，ダイスカップ，ダイヤモンドゲーム，チェス用具，チェッカー用具，手品用具，ドミノ用具，トランプ，花札，マージャン用具，遊戯用器具，ビリヤード用具，釣り具」及び第３１類「釣り用餌」とする指定商品の書換登録がなされ、現に有効に存続しているものである。
（４）登録第１１７３０６９号商標（以下「引用商標４」という。）は、「ＷＯＲＬＤ」の欧文字を横書きしてなり、昭和４３年１２月２０日登録出願、第１１類「電気機械器具、電気通信機械器具、電子応用機械器具（医療機械器具に属するものを除く）、電気材料」を指定商品として、同５０年１２月４日に設定登録され、その後、同６０年１２月２３日、平成８年３月２８日及び同１７年８月１６日に商標権の存続期間の更新登録がなされ、さらに、平成１８年７月５日に指定商品を第７類「起動器，交流電動機及び直流電動機（陸上の乗物用の交流電動機及び直流電動機（その部品を除く。）を除く。），交流発電機，直流発電機，家庭用食器洗浄機，家庭用電気式ワックス磨き機，家庭用電気洗濯機，家庭用電気掃除機，電気ミキサー，電機ブラシ」、第９類「配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極」、第１１類「電球類及び照明用器具，家庭用電熱用品類」及び第１２類「陸上の乗物用の交流電動機又は直流電動機（その部品を除く。）」とする指定商品の書換登録がなされ、現に有効に存続しているものである。
（５）登録第３３０４８６７号商標（以下「引用商標５」という。）は、別掲２のとおりの構成からなり、平成４年９月３０日登録出願、第４１類「動物の調教，植物の供覧，動物の供覧，図書及び記録の供覧，美術品の展示，映画・演芸・演劇又は音楽の演奏の興行の企画又は運営，映画の上映・制作又は配給，演芸の上演，演劇の演出又は上演，音楽の演奏，放送番組の制作，ゴルフの興行の企画・運営又は開催，相撲の興行の企画・運営又は開催，野球の興行の企画・運営又は開催，ボクシングの興行の企画・運営又は開催，競馬の企画・運営又は開催，競輪の企画・運営又は開催，競艇の企画・運営又は開催，小型自動車競走の企画・運営又は開催，音響用又は映像用のスタジオの提供，娯楽施設の提供，興行場の座席の手配，映写機及びその附属品の貸与，映写フィルムの貸与，楽器の貸与，スキー用具の貸与，スキンダイビング用具の貸与，テレビジョン受信機の貸与，ラジオ受信機の貸与，図書の貸与，レコード又は録音済み磁気テープの貸与，録画済み磁気テープの貸与」を指定役務として、同９年５月１６日に設定登録され、その後、同１９年１１月２７日に商標権の存続期間の更新登録がなされ、現に有効に存続しているものである。
（６）登録第３３７０９３９号商標（以下「引用商標６」という。）は、「ＷＯＲＬＤ　ＥＸＴＲＥＭＥ」の欧文字を横書きしてなり、平成７年２月３日登録出願、第２５類「被服，履物，運動用特殊衣服，運動用特殊靴，ガーター，靴下止め，ズボンつり，バンド，ベルト」を指定商品として、同１０年１２月１１日に設定登録され、その後、平成２１年８月１９日に商標権の抹消登録がなされたものである。
（７）登録第４６９４６７５号商標（以下「引用商標７」という。）は、別掲３のとおりの構成からなり、平成１３年７月６日登録出願、第２５類「サンダル靴およびサンダルげた，スリッパ」、第３５類「新聞の予約購読の取次ぎ」及び第４１類「会議の手配および運営，セミナーの手配および運営，教育に関する競技会の運営，シンポジウムの手配および運営，研修会の手配および管理，セミナーの企画・運営又は開催，書籍の制作，スポーツキャンプの企画・運営又は開催，体育の教授，実地教育，その他の技芸・スポーツ又は知識の教授，全寮制学校における教育，娯楽に関する競技会の運営，運動競技会の運営，文化又は教育のための展示会の運営，競技場の提供，運動競技の計時，ゴルフ施設の提供，その他の運動施設の提供」を指定商品及び指定役務として、同１５年７月２５日に設定登録され、その後、商標権一部取消し審判により、その指定商品中、「第２５類　全指定商品」について商標登録を取り消すべき旨の審決がされ、同２１年９月８日にその確定審決の登録がされ、現に有効に存続しているものである。
（８）登録第５１４４８０６号商標（以下「引用商標８」という。）は、別掲４のとおりの構成からなり、平成１９年８月１５日登録出願、第９類「サングラス，その他の眼鏡，家庭用テレビゲームおもちゃ，携帯用液晶画面ゲームおもちゃ用のプログラムを記憶させた電子回路及びＣＤ−ＲＯＭ，レコード，メトロノーム，電子楽器用自動演奏プログラムを記憶させた電子回路及びＣＤ−ＲＯＭ，インターネットを利用して受信し、及び保存することができる音楽ファイル，映写フィルム，スライドフィルム，スライドフィルム用マウント，インターネットを利用して受信し、及び保存することができる画像ファイル，録画済みビデオディスク及びビデオテープ」を指定商品として、同２０年６月２７日に設定登録され、現に有効に存続しているものである。
（９）登録第５１４４８０７号商標（以下「引用商標９」という。）は、別掲４のとおりの構成からなり、平成１９年８月１５日登録出願、第２８類「おもちゃ，人形，囲碁用具，歌がるた，将棋用具，さいころ，すごろく，ダイスカップ，ダイヤモンドゲーム，チェス用具，チェッカー用具，手品用具，ドミノ用具，トランプ，花札，マージャン用具，遊戯用器具，ビリヤード用具，運動用具，釣り具」を指定商品として、同２０年６月２７日に設定登録され、現に有効に存続しているものである。
（１０）登録第５１４７２９９号商標（以下「引用商標１０」という。）は、別掲４のとおりの構成からなり、平成１９年８月６日登録出願、第２５類「被服，ガーター，靴下止め，ズボンつり，バンド，ベルト」を指定商品として、同２０年７月４日に設定登録され、現に有効に存続しているものである。
（１１）商願２００７−７５８６０商標（以下「引用商標１１」という。）は、別掲５のとおりの構成からなり、願書記載の第３５類に属する役務を指定役務として、平成１９年７月５日に登録出願されたものである。
　
３　当審の判断
　
（１）引用商標６及び１１について
　商標法第４条第１項第１１号は、「当該商標登録出願の日前の商標登録出願に係る他人の登録商標又はこれに類似する商標であつて、その商標登録に係る指定商品…について使用をするもの」については、商標登録を受けることができないと規定している。
　したがって、本願商標が商標法第４条第１項第１１号に該当すると判断することができるためには、引用商標が「他人の登録商標」であること、すなわち、引用商標に係る商標権が査定・審決時に有効に存続するものであることが必要である。
　ところが引用商標６は、平成２０年１２月１１日をもって存続期間が満了し、平成２１年８月１９日に商標権抹消の登録がなされたことが認められる。
　また、職権調査によれば、引用商標１１は、現時点において、拒絶査定不服審判に係属中であることが認められる。
　したがって、引用商標６に係る商標権は、査定時（平成２１年８月２４日）において既に消滅していたものであり、引用商標１１については、「他人の登録商標」とはいえないから、原審がこれらを引用商標として商標法４条１項１１号に該当するとしたことは誤りである。
　
（２）本願商標と引用各商標の類否
　本願商標は、前記１のとおり、「Ｗｏｒｌｄ　Ｅｘｔｒｅｍｅ　Ｃａｇｅｆｉｇｈｔｉｎｇ」の欧文字を標準文字で表してなるところ、その構成文字は、同じ書体で視覚上一体的に表されているものであって、その全体より生じる「ワールドエクストリームケージファイティング」の称呼は、やや冗長であるものの無理なく一連に称呼し得るものである。
　さらに、「Ｗｏｒｌｄ　Ｅｘｔｒｅｍｅ　Ｃａｇｅｆｉｇｈｔｉｎｇ」の文字は、平成２２年１月６日付けの手続補足書中の甲第１号証ないし甲第３号証及び後掲のインターネット情報によれば、請求人が運営するアメリカ合衆国における総合格闘技大会の名称として、一定程度認知されているものであることからすれば、殊更「Ｗｏｒｌｄ」の文字部分のみが独立して認識されるとみるべき特段の事情は見いだせない。
　そうとすれば、本願商標に接する取引者、需要者は、その構成全体をもって認識するというのが相当であるから、本願商標は、その構成文字に相応して、「ワールドエクストリームケージファイティング」のみの称呼を生ずるものとみるのが相当である。
　一方、引用商標１ないし５及び７ないし１１は、前記１のとおりの構成よりなるところ、いずれも「ワールド」の称呼を生ずるものである（なお、引用商標１１については、前記３（１）のとおりであるが、同様の称呼を生ずることから、念のため認定を行った。）。
　
（３）まとめ　
　したがって、本願商標から「ワールド」の称呼をも生ずるとし、その上で、本願商標と引用各商標とが称呼上類似するものとして、本願商標を商標法第４条第１項第１１号に該当するとした原査定は、取消しを免れない。
　その他、政令で定める期間内に、本願について拒絶の理由を発見しない。
　よって、結論のとおり審決する。
　
〈後掲〉
（１）フリー百科事典「ウィキペディア」において、「World Extreme Cagefighting（ワールド・エクストリーム・ケイジファイティング、略称WEC）は、アメリカ合衆国のズッファLLCが運営する総合格闘技の大会。同社が運営するUFCとは異なり、軽量級のマッチメイクをイベントの主体としている。特にUFCが設置していないフェザー級以下の階級については世界一の選手層を有している。」との記載が認められる。
http://ja.wikipedia.org/wiki/World_Extreme_Cagefighting
　
（２）インターネット上の格闘技グッズ専門ショップ「有限会社トライファイト」において、Ｔシャツの項目に「TAPOUT の新作Ｔシャツ「WEC」です！今や軽量級最大のイベントの一つに成長したプロモーションWECとTAPOUTのコラボＴシャツです」の記載のもと、「Ｗｏｒｌｄ　Ｅｘｔｒｅｍｅ　Ｃａｇｅｆｉｇｈｔｉｎｇ」の文字を記載した商品が販売されている実情が認められる。
http://www.tri-fight.com/TAP_OUT/TF-TO-T-075.html
　
（３）インターネット上のＤＶＤショップ「ウィンドミルレコード」において、「UFC PRESENTS/Best of WEC DVD [US輸入DVD] 」の見出しのもと、「US輸入DVD。１８０分。総合格闘技世界軽量級（ライト級、フェザー級、バンタム級、フライ級）の最高峰WEC -World Extreme Cagefighting- のベスト盤DVD。」の記載が認められる。
http://item.rakuten.co.jp/auc-windmill/10002041/
（４）インターネット上における著名な総合スポーツサイトである「Sports　navi.com」において、「ＷＥＣ（ワールド・エクストリーム・ケージファイティング）」の試合結果の記載が認められる。
http://sportsnavi.yahoo.co.jp/fight/other/text/200811060003-spnavi.html